(57)【要約】      （修正有）【課題】蛍光管からの光の拡散効率を高めて発光斑をなくし省スペース化を図れる看板を提供する。【解決手段】表示物１４を掲示可能な窓６ａ，６ｂを正面側に備えた外箱１と、該外箱１内に取り付けると共に前記窓６ａ，６ｂと一致する光反射面５ａを正面側に有した基板５と、光反射面５ａの正面側に取り付ける１本又は複数本の蛍光管２と、該蛍光管２と窓６ａ，６ｂとの間に介在する光拡散部材３とから構成し、前記光拡散部材３は、蛍光管２の正面側及び左右側面の三方を囲むように該蛍光管２と間隔をあけて光反射面５ａ側に取り付け、且つ当該蛍光管２の周面に沿って半円弧状をなすように形成されている。【選択図】図１
2005283782.tif 000002
【特許請求の範囲】
【請求項１】
表示物（１４）を掲示可能な窓（６ａ，６ｂ）を正面側に備えた外箱（１）と、該外箱（１）内に取り付けると共に前記窓（６ａ，６ｂ）と一致する光反射面（５ａ）を正面側に有した基板（５）と、光反射面（５ａ）の正面側に取り付ける１本又は複数本の蛍光管（２）と、該蛍光管（２）と窓（６ａ，６ｂ）との間に介在する光拡散部材（３）とから構成し、
前記光拡散部材（３）は、蛍光管（２）の正面側及び左右側面の三方を囲むように該蛍光管（２）と間隔をあけて光反射面（５ａ）側に取り付け、且つ当該蛍光管（２）の周面に沿って半円弧状をなすように形成していることを特徴とする看板。
【請求項２】
前記光拡散部材（３）は、取付部材（４）を介して基板（５）から着脱可能に形成してあることを特徴とする請求項１記載の看板。
【発明の詳細な説明】
【技術分野】
【０００１】
本発明は、蛍光管の発光により絵や写真を表示する看板に関するものである。
【背景技術】
【０００２】
一般に電飾看板と呼ばれるこの種の看板は、外箱内奥側に光反射板を備えると共に、この光反射板において１本又は複数本の蛍光管を配列し、さらに該外箱の正面には絵や写真を収容した窓付きの開閉扉を備え、この絵や写真をバックライト式に照らしながら表示するものが主流であった。
【特許文献１】特開平１１−１６１２０９号
【発明の開示】
【発明が解決しようとする課題】
【０００３】
この種の看板では発光斑が起こる不都合を解消するために、外箱の窓部分に光透過調整板や光拡散板を張ることが一般的であったが、これら光透過調整板や光拡散板が充分な効果を発揮するには、窓と蛍光管との間隔を広くとる必要があり、このことから外箱の厚みが大きくなって、看板の設置時には省スペース化の妨げになっていた。
【０００４】
本発明は上記課題を鑑みて発明されたものであり、蛍光管からの光の拡散効率を高めて発光斑をなくし、しかも、飛躍的な省スペース化を図れる看板を提供することにある。
【課題を解決するための手段】
【０００５】
本発明のうち請求項１記載の発明は、表示物を掲示可能な窓を正面側に備えた外箱と、該外箱内に取り付けると共に前記窓と一致する光反射面を正面側に有した基板と、光反射面の正面側に取り付ける１本又は複数本の蛍光管と、該蛍光管と窓との間に介在する光拡散部材とから構成し、前記光拡散部材は、蛍光管の正面側及び左右側面の三方を囲むように該蛍光管と間隔をあけて光反射面側に取り付け、且つ当該蛍光管の周面に沿って半円弧状をなすように形成していることを特徴とする。
【０００６】
ここで正面側とは、外箱の窓側を正面側としたものを基準としている。また表示物とは、一定の光透過性を有する紙や樹脂板に描画された絵や写真等を意味している。また光拡散部材は、蛍光管からの光を窓に向けて均一に照らせられればよく、具体的にはアクリル板やガラス板にドットパターンが印刷されたフィルムを貼ったカバーや、周面にパンチング加工を施したアクリル板を半円弧状に曲げ加工したもの等が挙げられる。さらに基板は、蛍光管や光拡散部材の取付のための部位を備え、しかも蛍光管を取り付ける側の面は、光反射面の反射効率を高めるような形状をなすものが望ましい。また光反射面は、光が照射された際の反射効率が高いものであればよく、具体的には白色面や鏡面としたものが挙げられる。
【０００７】
このように形成すれば、蛍光管の正面側から左右側面に渡る三方に光拡散部材が間隔をあけて被さることで、蛍光管の発光時、該蛍光管の周面における広い範囲の光が前記光拡散部材に向けて照射され、これに伴い、光の拡散も広い範囲で効率的に行われることで、窓や表示物全体に均一な状態で光を照射できる。
【０００８】
本発明のうち請求項２記載の発明は、前記光拡散部材は、取付部材を介して基板から着脱可能に形成してあるので、光拡散部材、蛍光管の交換や他看板構成部品のメンテナンス時に、前記光拡散部材を取り外して作業が行え、作業が終了すれば再度、光拡散部材を基板に取り付けられる。
【０００９】
光拡散部材を基板から着脱可能にする部材については、一般的に部材の着脱に使用されるクリップや取付金具等でよいから、特に限定はされないが、蛍光管の発光領域を可能な限り妨げないような大きさや形状、設置箇所数とすることが望ましい。
【発明の効果】
【００１０】
本発明のうち請求項１記載の発明によれば、蛍光管からの光を効率的に拡散して、表示物を美しく飾ることができ、しかも光の拡散効率が高まることで、従来よりも看板の厚みを飛躍的に薄く形成できる。
【００１１】
本発明のうち請求項２記載の発明によれば、請求項１記載の発明の効果に加えて、光拡散部材や蛍光管、各種の看板構成部品等の交換やメンテナンス作業を一層容易に行えることとなる。
【発明を実施するための最良の形態】
【００１２】
次に、本発明の看板の一実施形態を以下に説明する。
【００１３】
本看板は図１乃至図３に示すように、表示物１４の掲示が可能な窓６ａ，６ｂを有する開閉扉８を正面側に備えた外箱１と、該外箱１の側部に固定されるインバーターや安定器、グローランプ等から構成される放電制御部９と、外箱１内の奥位置に取り付けると共に正面側に光反射面５ａを有する基板５と、該基板５の正面側の中央に設置されるソケット１０付きの蛍光管２と、該蛍光管２の正面及び左右側面を囲むように間隔をあけて配置した半円弧状をなす光拡散カバー３と、からなっている。
【００１４】
まず外箱１は、その全体が金属で成形された方形をなし、正面側には窓６ａ，６ｂ付きの開閉扉８を備え、さらに該外箱１の内縁側に沿って前記開閉扉８用の戸当り片１１が固着してあり、開閉扉８を閉じた際、該開閉扉８が前記戸当り片１１に当接して外箱１内を塞ぐものとなっている。また前記窓６ａ，６ｂは、透明なガラス板６ａと乳白色を呈するアクリル板６ｂとを重ね合わせたものとなっている。さらに、前記ガラス板６ａとアクリル板６ｂとの間には、例えば絵や写真、ポスターなどの表示物１４を挟み込める間隙Ｓが形成されている。
【００１５】
次に蛍光管２及び放電制御部９は、通常、この種の看板で一般化されているものを使用しており、具体的には、インバーターや安定器、グローランプを基板上に配置したユニット構造をなし、この放電制御部９は外箱１内の側部にネジで固定されている。さらに蛍光管２の上下には、それぞれソケット１０を備えており、当該各ソケット１０に蛍光管２を取り付けることで、外箱１の外部に設けた電源と接続するスイッチ（図示省略）を起動状態にすれば発光するしくみとなっている。
【００１６】
また基板５は、前記蛍光管２の設置される箇所の左右において、それぞれが該蛍光管２に向かって傾斜しており、また基板５の正面側は、白色面をなす光反射面５ａが形成してあり、この光反射面５ａと基板５の各傾斜部分とによって、蛍光管２の光が効率的に窓６ａ．６ｂ側に向けて発光される。また基板５は、蛍光管２の本数によって形態を自由に変更でき、例えば図４のように、外箱１内に蛍光管２を２本配列する場合には、基板５の傾斜部分を蛍光管２の配列１本毎に左右に設けるといったこともできる。
【００１７】
ここから本看板の主要部となる光拡散カバー３について、その構成を以下に説明する。
この光拡散カバー３は、蛍光管２の長さと対応した長尺で且つ透明色を呈するアクリル板を、断面形状が半円弧状をなすように曲げ加工したものである。また該光拡散カバー３の表面側には、全体にドットパターンを印刷したフィルムを貼ってあり、さらにこのフィルムの厚みは100μm〜200μmの範囲内である。一方、基板５における蛍光管２の設置される箇所の左右両側位置には、それぞれに挟持片４，４を備えており、さらに当該各挟持片４，４が光反射面５ａの正面側における間隔をあけた４箇所にそれぞれ配置してある（図１参照）。そして光拡散カバーの基板５への取付は図５のように、前記各挟持片４，４に光拡散カバー３の両端部分を差し込んで嵌り込ませることで、光拡散カバー３が蛍光管２の周面に沿って、正面側及び左右各側面の三方を間隔をあけて囲むように設置されることになる。
【００１８】
さらに前記構成の光拡散カバー３を取り付けた蛍光管２からの光は図６に示すように、前記光拡散カバー３の正面側及び側面の三方全てにおいて不規則な状態で拡散し、さらに拡散した光は、蛍光管２背面側の光反射面５ａに照射された後に窓６ａ，６ｂ側へ反射されることで、窓６ａ，６ｂ全体に向けて前記蛍光管２からの光が発光斑のない均一な状態で照射されることとなる。
【００１９】
また図７は、本発明の看板の他の実施形態であり、この看板では蛍光管２、光反射面５ａ、放電制御部９等の各構成部品が一枚の基板５上に配置されたユニットとして形成してあり、さらに、基板５の正面側において挟持片４を介して光拡散カバー３を取り付けたものを示している。この場合には、光拡散カバー３を含む全ての構成部品を外箱１内から取り出せるので、看板のメンテナンスを一層容易に行える。
尚、符号１２は、基板５取付用のスペーサーである
【図面の簡単な説明】
【００２０】
【図１】本発明による看板の一部を切欠した正面図である。
【図２】図１のＡ−Ａ線横断面図である。
【図３】図１のＢ−Ｂ線縦断面図である。
【図４】本発明による看板の他の実施形態を示す横断面図である。
【図５】図２中Ｃを拡大して示す、本発明の光拡散部材を平面視した説明図である。
【図６】同じく、本発明の光拡散部材を平面視した説明図である。
【図７】本発明の看板の他の実施形態を示す縦断面図である。
【符号の説明】
【００２１】
１  外箱
２  蛍光管
３  光拡散カバー（光拡散部材）
４  挟持片（取付部材）
５  基板
５ａ  光反射面
６ａ  ガラス板（窓）
６ｂ  アクリル板（窓）
１４  表示物
【図１】
2005283782.tif 000003
【図２】
2005283782.tif 000004
【図３】
2005283782.tif 000005
【図４】
2005283782.tif 000006
【図５】
2005283782.tif 000007
【図６】
2005283782.tif 000008
【図７】
2005283782.tif 000009